(57)【要約】【課題】チケットの販売結果に応じてチケットを適切な価格に決定すること。【解決手段】本願に係る情報処理装置は、取得部と、決定部とを備える。取得部は、チケットの価格に対応する第１値と、第１値よりも小さい第２値とに基づく範囲の価格で販売されたチケットの販売結果を示す販売結果情報を取得する。決定部は、取得部により取得された販売結果情報に基づいて、第１値と第２値との間の値を、チケットの価格に対応する適正値を示す第３値に決定する。【選択図】図８
2020204969.tif 000002
【特許請求の範囲】
【請求項１】
チケットの価格に対応する第１値と、前記第１値よりも小さい第２値とに基づく範囲の価格で販売された前記チケットの販売結果を示す販売結果情報を取得する取得部と、
前記取得部により取得された前記販売結果情報に基づいて、前記第１値と前記第２値との間の値を、前記チケットの価格に対応する適正値を示す第３値に決定する決定部と、
を備えることを特徴とする情報処理装置。
【請求項２】
前記取得部は、
前記チケットの価格の上限値を示す前記第１値と、前記チケットの価格の下限値を示す前記第２値に基づく前記範囲の価格で販売された前記チケットの前記販売結果情報を取得する
ことを特徴とする請求項１に記載の情報処理装置。
【請求項３】
前記取得部は、
前記第１値と前記第２値とに基づく前記範囲内の複数の価格の各々で販売された前記チケットの販売結果を示す販売結果情報を取得する
ことを特徴とする請求項１または請求項２に記載の情報処理装置。
【請求項４】
前記取得部により取得された前記販売結果情報に基づいて、前記第１値の値または前記第２値の値を変更する変更部、
をさらに備え、
前記取得部は、
前記変更部により値が変更された変更後の前記第１値または前記第２値に基づく前記範囲の価格で販売された前記チケットの前記販売結果情報を取得する
ことを特徴とする請求項１〜３のいずれか１項に記載の情報処理装置。
【請求項５】
前記変更部は、
第１の期間において前記第１値と前記第２値とに基づく前記範囲の価格で販売された前記チケットの販売結果情報に基づいて、前記第１値の値または前記第２値の値を変更し、
前記取得部は、
前記第１の期間よりも後の第２の期間において、前記変更部により値が変更された変更後の前記第１値または前記第２値に基づく前記範囲の価格で販売された前記チケットの前記販売結果情報を取得する
ことを特徴とする請求項４に記載の情報処理装置。
【請求項６】
前記変更部は、
前記第１値と前記第２値とに基づく前記範囲の価格で販売された第１の数量の前記チケットの販売結果情報に基づいて、前記第１値の値または前記第２値の値を変更し、
前記取得部は、
前記変更部により値が変更された変更後の前記第１値または前記第２値に基づく前記範囲の価格で販売された第２の数量の前記チケットの前記販売結果情報を取得する
ことを特徴とする請求項４または請求項５に記載の情報処理装置。
【請求項７】
前記変更部は、
前記取得部により取得された前記販売結果情報に基づいて、前記第１値の値を減少させ、
前記取得部は、
前記変更部により値が減少された変更後の前記第１値に基づく前記範囲の価格で販売された前記チケットの前記販売結果情報を取得する
ことを特徴とする請求項４〜６のいずれか１項に記載の情報処理装置。
【請求項８】
前記変更部は、
前記取得部により取得された前記販売結果情報に基づいて、前記第２値の値を増加させ、
前記取得部は、
前記変更部により値が増加された変更後の前記第２値に基づく前記範囲の価格で販売された前記チケットの前記販売結果情報を取得する
ことを特徴とする請求項４〜７のいずれか１項に記載の情報処理装置。
【請求項９】
前記変更部は、
前記取得部により取得された前記販売結果情報に基づいて、前記第１値の値を減少、または前記第２値の値を増加することにより、前記範囲を絞り込む
ことを特徴とする請求項８に記載の情報処理装置。
【請求項１０】
前記決定部は、
前記第１値と前記第２値との差が閾値以下である場合、前記第３値を決定する
ことを特徴とする請求項１〜９のいずれか１項に記載の情報処理装置。
【請求項１１】
前記決定部は、
前記第１値と前記第２値との平均値を、前記第３値に決定する
ことを特徴とする請求項１〜１０のいずれか１項に記載の情報処理装置。
【請求項１２】
前記決定部は、
前記第１値を前記第３値に決定する
ことを特徴とする請求項１〜１０のいずれか１項に記載の情報処理装置。
【請求項１３】
前記決定部は、
前記第１値で販売されたチケットの販売状況が所定の条件を満たす場合、前記第１値を前記第３値に決定する
ことを特徴とする請求項１２に記載の情報処理装置。
【請求項１４】
前記決定部は、
前記第１値で販売されたチケットのうち、ユーザに購入されたチケットが所定の割合以上である場合、前記第１値を前記第３値に決定する
ことを特徴とする請求項１２または請求項１３に記載の情報処理装置。
【請求項１５】
前記取得部は、
所定のイベントの前記チケットの前記価格に対応する前記第１値と、前記第２値とに基づく前記範囲の価格で販売された前記チケットの前記販売結果情報を取得する
ことを特徴とする請求項１〜１４のいずれか１項に記載の情報処理装置。
【請求項１６】
前記取得部は、
前記チケットの前記価格を示す前記第１値と前記第２値との間の前記範囲の価格で販売された前記チケットの前記販売結果情報を取得する
を取得する
ことを特徴とする請求項１〜１５のいずれか１項に記載の情報処理装置。
【請求項１７】
前記取得部は、
前記チケットの前記価格に関するスコアである前記第１値と、前記第２値とに基づく前記範囲の価格で販売された前記チケットの前記販売結果情報を取得する
ことを特徴とする請求項１〜１５のいずれか１項に記載の情報処理装置。
【請求項１８】
コンピュータが実行する情報処理方法であって、
チケットの価格に対応する第１値と、前記第１値よりも小さい第２値とに基づく範囲の価格で販売された前記チケットの販売結果を示す販売結果情報を取得する取得工程と、
前記取得工程により取得された前記販売結果情報に基づいて、前記第１値と前記第２値との間の値を、前記チケットの価格に対応する適正値を示す第３値に決定する決定工程と、
を含むことを特徴とする情報処理方法。
【請求項１９】
チケットの価格に対応する第１値と、前記第１値よりも小さい第２値とに基づく範囲の価格で販売された前記チケットの販売結果を示す販売結果情報を取得する取得手順と、
前記取得手順により取得された前記販売結果情報に基づいて、前記第１値と前記第２値との間の値を、前記チケットの価格に対応する適正値を示す第３値に決定する決定手順と、
をコンピュータに実行させることを特徴とする情報処理プログラム。
【発明の詳細な説明】
【技術分野】
【０００１】
本発明は、情報処理装置、情報処理方法および情報処理プログラムに関する。
【背景技術】
【０００２】
従来、映画館のシネアド（Cinema  Advertising）による映画館側の全体の収益を予測し、予測した収益を映画館側に通知するサービスを提供する技術が知られている（文献１）。例えば、映画館側が新たなチケット料金を設定した場合に、映画館側が得ることができる収益を通知するサービスを提供する技術が知られている。また、従来、興行イベントチケットの属性に基づいて、興行イベントチケットの推奨価格を決定する技術が知られている（文献２）。また、従来、第１販売価格と在庫数の変動とに基づいて、第２販売価格を算出する技術が知られている（文献３）。
【先行技術文献】
【特許文献】
【０００３】
【特許文献１】特開２０１５−１７９４７２号公報
【特許文献２】特表２０１２−５００４２９号公報
【特許文献３】特許第６５１６８０２号公報
【発明の概要】
【発明が解決しようとする課題】
【０００４】
しかしながら、上述した従来技術では、チケットの販売結果に応じてチケットを適切な価格に決定することができるとは限らなかった。例えば、上述した従来技術は、映画館側の収益に応じて新たなチケット料金の設定を映画館側に促す技術に過ぎない。例えば、上述した従来技術は、属性に応じてチケットの推奨価格を決定する技術に過ぎない。例えば、上述した従来技術は、在庫状況に応じて販売価格を算出することができるが、チケットの販売結果に応じてチケットを適切な価格に決定するための向上の余地があった。
【０００５】
本願は、上記に鑑みてなされたものであって、チケットの販売結果に応じてチケットを適切な価格に決定することを目的とする。
【課題を解決するための手段】
【０００６】
本願に係る情報処理装置は、チケットの価格に対応する第１値と、前記第１値よりも小さい第２値とに基づく範囲の価格で販売された前記チケットの販売結果を示す販売結果情報を取得する取得部と、前記取得部により取得された前記販売結果情報に基づいて、前記第１値と前記第２値との間の値を、前記チケットの価格に対応する適正値を示す第３値に決定する決定部とを備えることを特徴とする。
【発明の効果】
【０００７】
実施形態の一態様によれば、チケットの販売結果に応じてチケットを適切な価格に決定することができるという効果を奏する。
【図面の簡単な説明】
【０００８】
【図１】図１は、実施形態に係る情報処理の一例を示す図である。
【図２】図２は、実施形態に係る情報処理の一例を示す図である。
【図３】図３は、実施形態に係る情報処理の一例を示す図である。
【図４】図４は、実施形態に係る情報処理の一例を示す図である。
【図５】図５は、実施形態に係る情報処理システムの構成例を示す図である。
【図６】図６は、実施形態に係るチケット販売装置の構成例を示す図である。
【図７】図７は、実施形態に係る情報提供装置の構成例を示す図である。
【図８】図８は、実施形態に係る情報処理装置の構成例を示す図である。
【図９】図９は、実施形態に係るイベント価格履歴情報記憶部の一例を示す図である。
【図１０】図１０は、実施形態に係る販売態様情報記憶部の一例を示す図である。
【図１１】図１１は、実施形態に係る販売結果情報記憶部の一例を示す図である。
【図１２】図１２は、実施形態に係る適正価格情報記憶部の一例を示す図である。
【図１３】図１３は、実施形態に係る情報処理の一例を示すフローチャートである。
【図１４】図１４は、情報処理装置の機能を実現するコンピュータの一例を示すハードウェア構成図である。
【発明を実施するための形態】
【０００９】
以下に、本願に係る情報処理装置、情報処理方法及び情報処理プログラムを実施するための形態（以下、「実施形態」と呼ぶ）について図面を参照しつつ詳細に説明する。なお、この実施形態により本願に係る情報処理装置、情報処理方法及び情報処理プログラムが限定されるものではない。また、以下の各実施形態において同一の部位には同一の符号を付し、重複する説明は省略される。
【００１０】
（実施形態）
〔１．情報処理の一例〕
図１では、情報処理装置１００が、チケットの価格と販売結果とに応じて、チケットの適正価格を決定する場合を示す。具体的には、情報処理装置１００は、販売結果に応じてチケットの価格の範囲を絞り込むことにより、チケットの適正価格を決定する。また、図１では、チケットに対応する値が価格である場合を示す。例えば、図１に示す第１値及び第２値は、チケットに対応する値であり、価格を示す。なお、第２値は第１値よりも小さい値である。また、図１に示す第３値は、チケットの適正価格に対応する値であり、適宜、「適正値」と呼ぶ。すなわち、図１では、情報処理装置１００は、チケットの価格を示す第１値と第２値とに基づいて、チケットの適正価格を示す適正値を決定する。より具体的には、情報処理装置１００は、第１値と第２値とに基づく範囲の価格で販売されたチケットの販売結果に基づいて、第１値と第２値との間の値である第３値を決定する。なお、図１では、チケットの価値は同じであるものとする。例えば、対象物からの距離や広さなどの条件に基づくチケットの価値は同じであるものとする。
【００１１】
実施形態に係るチケットは、所定のイベントのチケットであれば、どのようなチケットであってもよい。例えば、実施形態に係るチケットは、所定のイベントに参加（入場）するためのチケットであってもよい。また、実施形態に係るイベントは、例えば、野球のスタジアムや映画館などの会場で行われるイベントに限らず、どのようなイベントであってもよい。例えば、実施形態に係るイベントは、会場などの物理的な空間で行われるイベントに限らず、インターネットなどの仮想的な空間上で行われるイベントであってもよい。また、実施形態に係るイベントが会場などの物理的な空間で行われる場合には、実施形態に係るイベントは、席がある場合のイベントでも、席という概念がない場合のイベントでもよい。また、席がある場合のイベントである場合には、実施形態に係るイベントは、席種がある場合のイベントでも、席種がない場合のイベントでもよい。なお、図１の例では、席種がない場合のイベントのチケットを一例として説明する。また、席種がある場合の処理については後述する。以下、図１を用いて、実施形態に係る情報処理の一例を説明する。
【００１２】
情報処理装置１００は、過去に行われたイベントのチケットの価格に関する情報（以下、適宜、「イベント価格履歴情報」と呼ぶ）を取得する（ステップＳ１０１）。例えば、情報処理装置１００は、価格の変更の対象となるイベント（以下、適宜、「対象イベント」と呼ぶ）に関連する過去のイベントのイベント価格履歴情報を取得する。例えば、情報処理装置１００は、対象イベントと所定の関係を有する過去のイベントのイベント価格履歴情報を取得する。ここで、対象イベントと所定の関係を有する過去のイベントとは、例えば、対象イベントと同じカテゴリに属する過去のイベントや、対象イベントと類似する規模の過去のイベントや、対象イベントと同じ場所で開催された過去のイベントや、対象イベントに出演する出演者が出演した過去のイベントなどであってもよい。また、情報処理装置１００は、対象イベントの管理者により予め選択された過去のイベントのイベント価格履歴情報を取得してもよい。図１では、情報処理装置１００は、情報提供装置５０から送信されたイベント価格履歴情報を取得する。具体的には、情報処理装置１００は、イベント価格履歴情報ＬＩＮＦ１を取得する。
【００１３】
情報処理装置１００は、取得したイベント価格履歴情報を所定の記憶部に格納する（ステップＳ１０２）。図１では、情報処理装置１００は、イベント価格履歴情報ＬＩＮＦ１をイベント価格履歴情報記憶部１２１に格納する。
【００１４】
情報処理装置１００は、対象イベントのチケットの第１値と第２値とを決定する（ステップＳ１０３）。情報処理装置１００は、取得したイベント価格履歴情報に基づいて第１値と第２値とを決定する。図１では、情報処理装置１００は、イベント価格履歴情報記憶部１２１に格納されたイベント価格履歴情報に基づいて、第１値と第２値とを決定する。具体的な処理の例を挙げると、情報処理装置１００は、取得したイベント価格履歴情報に含まれる価格のうち最大の価格を第１値に決定し、最小の価格を第２値に決定してもよい。例えば、情報処理装置１００は、取得したイベント価格履歴情報に含まれる価格の平均から所定の範囲内の価格のうち最大の価格を第１値に決定し、最小の価格を第２値に決定してもよい。また、図１では、第１値がチケットの価格の上限値を示す値であり、第２値がチケットの価格の下限値を示す値である。図１では、情報処理装置１００は、第１値を３万円に決定し、第２値を５千円に決定する。
【００１５】
情報処理装置１００は、第１値と第２値とに基づく販売態様に関する情報（以下、適宜、「販売態様情報」と呼ぶ）を決定する。情報処理装置１００は、第１値と第２値とに基づく範囲内の複数の価格の各々で販売するための販売態様情報を決定する。例えば、情報処理装置１００は、チケットの残りの枚数に基づいて、複数の価格の各々で販売する数量を決定する。図１では、情報処理装置１００は、チケットの残りの枚数のうち所定の割合の残りの枚数を等分することにより、複数の価格の各々で販売する数量を決定する。なお、図１の例では、説明を簡単にするために、複数の価格の各々で販売する数量を同じである場合を示すが、複数の価格の各々で販売する数量は異なってもよい。この点についての詳細は後述する。図１では、具体的には、情報処理装置１００は、チケットの残りの枚数であるＸ枚のうち所定の割合の残りの枚数を等分することにより、複数の価格の各々で１００枚ずつ販売すると決定する。例えば、情報処理装置１００は、チケットの残りの枚数の１０％を等分することにより、複数の価格の各々で販売する数量を決定する。なお、所定の割合とは、第３値で販売する枚数が残るような割合であれば、どのような割合であってもよい。また、情報処理装置１００は、所定の期間である期間ＴＭ１の間で販売すると決定する。なお、販売態様情報ＳＩＮＦ１は、ステップＳ１０３で決定した第１値と第２値とに基づく販売態様情報を示す。販売態様情報ＳＩＮＦ１は、対象イベントのチケットの適正価格を決定するための最初の販売態様情報を示す。すなわち、チケットの枚数Ｘ枚とは、対象イベントのチケットの総数である。なお、販売態様情報ＳＩＮＦ１に示す残枚数や期間は、イベント価格履歴情報に基づいて情報処理装置１００が決定した情報であってもよいし、イベントを管理する管理者（主催者）やチケットを提供する提供者（販売者）によって予め定められた情報であってもよい。
【００１６】
情報処理装置１００は、チケット販売装置４０へ販売指示を送信する（ステップＳ１０４）。情報処理装置１００は、チケット販売装置４０へ販売態様情報を提供する。図１では、情報処理装置１００は、チケット販売装置４０へ販売態様情報ＳＩＮＦ１を提供する。
【００１７】
チケット販売装置４０は、情報処理装置１００から提供された販売態様情報に基づいて、チケットの販売処理を行う（ステップＳ１０５）。具体的には、チケット販売装置４０は、情報処理装置１００から提供された販売態様情報に含まれる販売態様でチケットの販売処理を行う。図１では、チケット販売装置４０は、期間ＴＭ１の間、販売態様情報ＳＩＮＦ１に含まれる販売態様でチケットの販売処理を行う。チケット販売装置４０は、チケットの販売結果を示す情報（以下、適宜、「販売結果情報」と呼ぶ）を送信する。図１では、チケット販売装置４０は、販売態様情報ＳＩＮＦ１に含まれる販売態様に基づく販売結果情報ＲＩＮＦ１を送信する。なお、販売結果情報ＲＩＮＦ１は、ステップＳ１０４で情報処理装置１００から提供された販売態様情報ＳＩＮＦ１に基づく販売結果情報である。販売結果情報ＲＩＮＦ１は、３万円のチケットが１枚、１万円のチケットが１００枚売れたことなどを示す。すなわち、販売結果情報ＲＩＮＦ１は、３万円のチケットが１００枚中１枚、１万円のチケットが１００枚中１００枚全て売れたことなどを示す。
【００１８】
情報処理装置１００は、チケットの販売結果情報を取得する（ステップＳ１０６）。情報処理装置１００は、チケット販売装置４０から送信された販売結果情報を取得する。情報処理装置１００は、情報処理装置１００が提供した販売態様情報に基づく販売結果情報を取得する。図１では、情報処理装置１００は、販売態様情報ＳＩＮＦ１に基づく販売結果情報ＲＩＮＦ１を取得する。また、情報処理装置１００は、取得した販売結果情報を所定の記憶部に格納してもよい。例えば、情報処理装置１００は、取得した販売結果情報を販売結果情報記憶部１２３に格納してもよい。なお、グラフＧＲ１に示すプロットＲＡＲ１は、期間ＴＭ１での販売結果を示したプロットである。具体的には、プロットＲＡＲ１は、期間ＴＭ１で売れた購入数を価格ごとに示したプロットである。また、グラフＧＲ１に示すプロットＳＡＲ１は、期間ＴＭ１で販売した販売枚数を価格ごとに示したプロットである。
【００１９】
情報処理装置１００は、第１値の値又は第２値の値を変更する（ステップＳ１０７）。情報処理装置１００は、ステップＳ１０３で決定した第１値の値又は第２値の値を変更する。情報処理装置１００は、取得した販売結果情報に基づいて第１値の値又は第２値の値を変更する。ステップＳ１０７では、情報処理装置１００は、期間ＴＭ１において第１値と第２値とに基づく範囲の価格で販売されたチケットの販売結果情報に基づいて、第１値の値又は第２値の値を変更する。例えば、情報処理装置１００は、販売結果情報に含まれる複数の価格の各々に対応する購入数に基づいて、第１値の値又は第２値の値を変更する。例えば、情報処理装置１００は、販売結果情報に含まれる複数の価格の各々に対応する販売数に対する購入数の割合が所定の条件を満たす価格のうち、価格の上限値を変更後の第１値に決定し、価格の下限値を変更後の第２値に決定する。具体的には、情報処理装置１００は、販売数に対する購入数の割合が１０％以上である価格のうち最大の価格を第１値に決定する。図１では、例えば、３万円のチケットに対応する割合が１％であり１０％未満であることから、情報処理装置１００は、３万円を第１値となる価格の選択肢から除外する。例えば、情報処理装置１００は、販売数に対する購入数の割合が１００％である価格のうち最大の価格を第２値に決定する。図１では、例えば、５千円のチケットに対応する割合が１００％であるが、５千円より高い１万円のチケットに対応する割合も１００％であることから、情報処理装置１００は、５千円を第２値となる価格の選択肢から除外する。
【００２０】
情報処理装置１００は、第１値の値を減少又は第２値の値を増加することにより、変更後の第１値と第２値とを決定する。情報処理装置１００は、取得した販売結果情報に基づいて、第１値の値を減少又は第２値の値を増加することにより、変更後の第１値と第２値とを決定する。ステップＳ１０７では、情報処理装置１００は、変更後の第１値を２万５千円に決定し、変更後の第２値を１万円に決定する。このように、情報処理装置１００は、第１値の値と第２値の値との範囲を絞り込むことにより、第３値を決定していく。
【００２１】
情報処理装置１００は、変更後の第１値の値と第２値の値とに基づいて、適正価格を決定するための範囲の絞り込みを継続するか否かを判定する。すなわち、情報処理装置１００は、変更後の第１値の値と第２値の値とが、第３値を決定するための所定の条件を満たすか否かを判定する。例えば、情報処理装置１００は、変更後の第１値と第２値との差が所定の閾値以下であるか否かを判定する。情報処理装置１００は、所定の条件を満たさないと判定した場合、適正価格を決定するための範囲の絞り込みを継続すると決定する（ステップＳ１０８）。例えば、情報処理装置１００は、変更後の第１値と第２値との差が３千円以下ではないと判定した場合、適正価格を決定するための範囲の絞り込みを継続すると決定する。ステップＳ１０８では、情報処理装置１００は、変更後の第１値と第２値との差が５千円であり３千円以下ではないため、所定の条件を満たさないと判定し、範囲の絞り込みを継続すると決定する。
【００２２】
情報処理装置１００は、変更後の第１値と第２値とに基づく販売態様情報を決定する。情報処理装置１００は、変更後の第１値と第２値とに基づく範囲内の複数の価格の各々で販売するための販売態様情報を決定する。例えば、情報処理装置１００は、チケットの残りの枚数に基づいて、複数の価格の各々で販売する数量を決定する。例えば、情報処理装置１００は、期間ＴＭ１後のチケットの残りの枚数に基づいて、複数の価格の各々で販売する数量を決定する。販売態様情報ＳＩＮＦ２は、ステップＳ１０７で決定した第１値と第２値とに基づく販売態様情報を示す。販売態様情報ＳＩＮＦ２は、情報処理装置１００が、チケットの残りの枚数であるＹ枚のうち所定の割合の残りの枚数を等分することにより、複数の価格の各々で２００枚ずつ販売すると決定したことを示す。また、販売態様情報ＳＩＮＦ２は、情報処理装置１００が、期間ＴＭ１よりも後の期間である期間ＴＭ２の間で販売すると決定したことを示す。なお、第１値と第２値の変更前及び変更後の販売態様情報に対応する期間を各々、適宜、「第１の期間」、「第２の期間」と呼ぶ。図１の例では、期間ＴＭ１が第１の期間であり、期間ＴＭ２が第２の期間である。なお、図１に示されていないが、期間ＴＭ２よりも後の期間である期間ＴＭ３の間で再度販売する場合、期間ＴＭ２を第１の期間とし、期間ＴＭ３を第２の期間としてもよい。また、第１値と第２値の変更前及び変更後の販売態様情報に含まれる数量を各々、適宜、「第１の数量」、「第２の数量」と呼ぶ。図１の例では、販売態様情報ＳＩＮＦ１に含まれる数量が第１の数量であり、販売態様情報ＳＩＮＦ２に含まれる数量が第２の数量である。また、第１値と第２値の変更前及び変更後の販売態様情報を各々、適宜、「第１の販売対象情報」、「第２の販売態様情報」と呼ぶ。また、第１値と第２値の変更前及び変更後の販売態様情報に基づく販売結果情報を各々、適宜、「第１の販売結果情報」、「第２の販売結果情報」と呼ぶ。
【００２３】
販売態様情報ＳＩＮＦ２は、対象イベントのチケットの適正価格を決定するための第２の販売態様情報を示す。このため、チケットの枚数Ｙ枚は、対象イベントのチケットの総数から販売結果情報ＲＩＮＦ１に示す購入数の総数を差し引いた枚数である。すなわち、チケットの枚数Ｙ枚は、チケットの枚数Ｘ枚から販売結果情報ＲＩＮＦ１に示す購入数の総数を差し引いた枚数である。なお、販売態様情報ＳＩＮＦ２に示す期間は、イベント価格履歴情報や販売結果情報ＲＩＮＦ１に基づいて情報処理装置１００が決定した情報であってもよいし、イベントの管理者やチケットの提供者によって予め定められた情報であってもよい。なお、グラフＧＲ２に示すプロットＲＡＲ２は、期間ＴＭ２での販売結果を示したプロットである。具体的には、プロットＲＡＲ２は、期間ＴＭ２で売れた購入数を価格ごとに示したプロットである。また、グラフＧＲ２に示すプロットＳＡＲ２は、期間ＴＭ２で販売した販売枚数を価格ごとに示したプロットである。
【００２４】
情報処理装置１００は、チケット販売装置４０へ販売指示を再度送信する（ステップＳ１０９）。情報処理装置１００は、変更後の第１値と第２値とに基づく販売態様情報を提供する。ステップＳ１０９では、情報処理装置１００は、販売態様情報ＳＩＮＦ２を提供する。
【００２５】
ステップＳ１０５と同様に、チケット販売装置４０は、情報処理装置１００から提供された販売態様情報に基づいて、チケットの販売処理を行う（ステップＳ１１０）。具体的には、チケット販売装置４０は、情報処理装置１００から提供された変更後の第１値と第２値とに基づく販売態様情報に含まれる販売態様でチケットの販売処理を行う。ステップＳ１１０では、チケット販売装置４０は、期間ＴＭ２の間、販売態様情報ＳＩＮＦ２に含まれる販売態様でチケットの販売処理を行う。チケット販売装置４０は、チケットの販売結果情報を送信する。そして、チケット販売装置４０は、販売態様情報ＳＩＮＦ２に含まれる販売態様に基づく販売結果情報ＲＩＮＦ２を送信する。なお、販売結果情報ＲＩＮＦ２は、ステップＳ１０９で情報処理装置１００から提供された販売態様情報ＳＩＮＦ１に基づく販売結果情報である。販売結果情報ＲＩＮＦ２は、２万５千円のチケットが１枚、１万２千５百円のチケットが２００枚売れたことなどを示す。すなわち、販売結果情報ＲＩＮＦ２は、２万５千円のチケットが２００枚中１枚、１万２千５百円のチケットが２００枚中２００枚全て売れたことなどを示す。
【００２６】
情報処理装置１００は、チケットの販売結果情報を取得する（ステップＳ１１１）。情報処理装置１００は、変更後の第１値と第２値とに基づく販売結果情報を取得する。情報処理装置１００は、チケット販売装置４０から再度送信された販売結果情報を取得する。情報処理装置１００は、ステップＳ１０９で情報処理装置１００が提供した販売態様情報に基づく販売結果情報を取得する。ステップＳ１１１では、情報処理装置１００は、販売態様情報ＳＩＮＦ２に基づく販売結果情報ＲＩＮＦ２を取得する。また、情報処理装置１００は、取得した販売結果情報を所定の記憶部に格納してもよい。例えば、情報処理装置１００は、取得した販売結果情報を販売結果情報記憶部１２３に格納してもよい。具体的には、情報処理装置１００は、変更後の第１値と第２値とに基づく販売結果情報を販売結果情報記憶部１２３に格納してもよい。
【００２７】
情報処理装置１００は、第１値の値又は第２値の値を再度変更する（ステップＳ１１２）。情報処理装置１００は、ステップＳ１０７で変更した第１値の値又は第２値の値を再度変更する。情報処理装置１００は、取得した販売結果情報ＲＩＮＦ２に基づいて第１値の値又は第２値の値を再度変更する。ステップＳ１１２では、情報処理装置１００は、期間ＴＭ２において第１値と第２値とに基づく範囲の価格で販売されたチケットの販売結果情報ＲＩＮＦ２に基づいて、第１値の値又は第２値の値を再度変更する。情報処理装置１００は、ステップＳ１０７と同様の処理に基づいて、第１値の値又は第２値の値を再度変更する。具体的には、情報処理装置１００は、販売結果情報ＲＩＮＦ２に含まれる複数の価格の各々に対応する購入数に基づいて、第１値の値又は第２値の値を再度変更する。具体的には、情報処理装置１００は、販売結果情報ＲＩＮＦ２に含まれる複数の価格の各々に対応する販売数に対する購入数の割合が所定の条件を満たす価格のうち、価格の上限値を変更後の第１値に決定し、価格の下限値を変更後の第２値に決定する。具体的な例を挙げると、情報処理装置１００は、販売数に対する購入数の割合が１０％以上である価格のうち最大の価格を第１値に決定する。ステップＳ１１２では、例えば、２万５千円のチケットに対応する割合が０．５％であり１０％未満であることから、情報処理装置１００は、２万５千円を第１値となる価格の選択肢から除外する。例えば、情報処理装置１００は、販売数に対する購入数の割合が１００％である価格のうち最大の価格を第２値に決定する。ステップＳ１１２では、例えば、１万円のチケットに対応する割合が１００％であるが、１万円より高い１万２千５百円のチケットに対応する割合も１００％であることから、情報処理装置１００は、１万円を第２値となる価格の選択肢から除外する。
【００２８】
情報処理装置１００は、第１値の値を減少又は第２値の値を増加することにより、変更後の第１値と第２値とを決定する。情報処理装置１００は、販売結果情報ＲＩＮＦ２に基づいて、第１値の値を減少又は第２値の値を増加することにより、変更後の第１値と第２値とを決定する。ステップＳ１１２では、情報処理装置１００は、変更後の第１値を１万５千円に決定し、変更後の第２値を１万２千５百円に決定する。
【００２９】
ステップＳ１０８と同様に、情報処理装置１００は、変更後の第１値の値と第２値の値とに基づいて、適正価格を決定するための範囲の絞り込みを継続するか否かを判定する。情報処理装置１００は、変更後の第１値の値と第２値の値とが、第３値を決定するための所定の条件を満たすか否かを判定する。例えば、情報処理装置１００は、変更後の第１値と第２値との差が所定の閾値以下であるか否かを判定する。情報処理装置１００は、所定の条件を満たすと判定した場合、適正価格を決定する（ステップＳ１１３）。例えば、情報処理装置１００は、変更後の第１値と第２値との差が３千円以下であると判定した場合、適正価格を決定する。ステップＳ１１３では、情報処理装置１００は、変更後の第１値と第２値との差が２千５百円であり３千円以下であるため、所定の条件を満たすと判定し、適正価格を決定する。
【００３０】
情報処理装置１００は、所定の条件を満たすと判定した場合、変更後の第１値の値と第２値の値とに基づく範囲で、どのように第３値を決定してもよい。例えば、情報処理装置１００は、変更後の第１値と第２値との平均値を第３値に決定してもよい。例えば、情報処理装置１００は、変更後の第１値を第３値に決定してもよい。また、情報処理装置１００は、変更後の第１値で販売されたチケットの販売状況に基づいて、変更後の第１値を第３値に決定してもよい。例えば、情報処理装置１００は、変更後の第１値で販売されたチケットの販売状況が所定の条件を満たす場合、変更後の第１値を第３値に決定してもよい。例えば、情報処理装置１００は、変更後の第１値で販売されたチケットのうち、ユーザに購入されたチケットが所定の割合以上である場合、変更後の第１値を第３値に決定してもよい。図１では、情報処理装置１００は、変更後の第１値を第３値に決定する。図１では、情報処理装置１００は、第３値を１万５千円に決定する。
【００３１】
〔２．処理のバリエーション〕
（２−１．数量）
図１に示す例では、チケットの残りの枚数のうち所定の割合の残りの枚数を等分することにより、複数の価格の各々で販売するチケットの数量を決定する場合を示した。すなわち、図１では、全価格で同数量のチケットを販売する場合を示したが、情報処理装置１００は、複数の価格の各々で販売するチケットの数量を価格ごとに決定してもよい。図２のグラフＧＲＲ１に示すように、情報処理装置１００は、第１値と第２値との中央に近いほどチケットの数量が多くなるように、複数の価格の各々で販売するチケットの数量を決定してもよい。例えば、情報処理装置１００は、第１値と第２値との中央に近いほど所定の割合ずつチケットの数量が多くなるように、複数の価格の各々で販売するチケットの数量を決定してもよい。また、図２のグラフＧＲＲ２に示すように、情報処理装置１００は、第２値に近いほどチケットの数量が多くなるように、複数の価格の各々で販売するチケットの数量を決定してもよい。例えば、情報処理装置１００は、第２値に近いほど所定の割合ずつチケットの数量が多くなるように、複数の価格の各々で販売するチケットの数量を決定してもよい。なお、プロットＳＡＲ１１及びプロットＳＡＲ２２は、所定の期間内に販売する販売枚数を価格ごとに示したプロットである。また、情報処理装置１００は、イベントの管理者やチケットの提供者により予め定められた割合で、複数の価格の各々で販売するチケットの数量を決定してもよい。また、情報処理装置１００は、複数の価格の各々で販売するチケットの数量を期間ごとに変更してもよい。例えば、情報処理装置１００は、価格ごとに決定した複数の価格の各々で販売するチケットの数量を期間ごとに変更してもよい。例えば、情報処理装置１００は、最初は均等にチケットを販売し、徐々に真ん中に絞っていくように、期間によって価格ごとに販売するチケットの数量の分布を変えてもよい。具体的には、情報処理装置１００は、最初は全価格で同数量のチケットを販売し、所定の期間が経過するごとに、残りのチケットの数量を再分配することにより、複数の価格の各々で販売するチケットの数量を期間ごとに変更してもよい。例えば、情報処理装置１００は、所定の期間が経過するごとに、複数の価格の各々で販売する残りのチケットの数量を、第１値と第２値との中央に近いほどチケットの数量が多くなるように複数の価格の各々で再分配することにより、期間によって価格ごとに販売するチケットの数量の分布を変えてもよい。なお、所定の期間は、予め定められた期間に限らず、動的に決められた期間であってもよい。例えば、所定の期間は、チケットの販売状況に応じて動的に決められた期間であってもよい。例えば、所定の期間は、残りのチケットの数量に応じて動的に決められた期間であってもよい。例えば、情報処理装置１００は、最初は全価格で同数量のチケットを販売し、動的に決められた期間の経過後、残りのチケットの数量を再分配することにより、複数の価格の各々で販売するチケットの数量を変更してもよい。例えば、情報処理装置１００は、最初は第１値と第２値との中央に近いほどチケットの数量が多くなるようにチケットを販売し、徐々に均等になるように、期間によって価格ごとに販売するチケットの数量の分布を変えてもよい。また、情報処理装置１００は、ステップＳ１０７又はＳ１１２と同様の処理に基づいて、変更後の第１値と第２値とを決定する。
【００３２】
（２−２．チケット販売）
図１に示す例では、チケット販売装置４０がチケットの販売を行う場合を示したが、情報処理装置１００がチケットの販売を行ってもよい。この場合、情報処理装置１００は、決定後の第１値と第２値とに基づく販売態様情報に含まれる販売態様でチケットの販売処理を行う。例えば、情報処理装置１００は、期間ＴＭ１の間、販売態様情報ＳＩＮＦ１に含まれる販売態様でチケットの販売処理を行う。また、情報処理装置１００は、変更後の第１値と第２値とに基づく販売態様情報に含まれる販売態様でチケットの販売処理を行う。例えば、情報処理装置１００は、期間ＴＭ２の間、販売態様情報ＳＩＮＦ２に含まれる販売態様でチケットの販売処理を行う。そして、情報処理装置１００は、各々の販売態様情報に基づく販売結果情報を生成する。例えば、情報処理装置１００は、販売態様情報ＳＩＮＦ１に含まれる販売態様に基づく販売結果情報ＲＩＮＦ１を生成する。例えば、情報処理装置１００は、販売態様情報ＳＩＮＦ２に含まれる販売態様に基づく販売結果情報ＲＩＮＦ２を生成する。また、チケット販売装置４０と情報処理装置１００とが一体であってもよい。
【００３３】
（２−３．チケット価値）
図１に示す例では、第１値と第２値とに基づく範囲の価格のチケットの価値が同じである場合を示したが、第１値と第２値とに基づく範囲の価格でチケットの価値を変更させてもよい。例えば、情報処理装置１００は、対象物からの距離や広さなどの条件に基づくチケットの価値を変更させてもよい。例えば、情報処理装置１００は、第１値に近い価格のチケットほど、チケットの価値を向上させてもよい。具体的な例を挙げると、情報処理装置１００は、第１値に近いチケットほど、対象物からの距離が短い位置のチケットに変更することにより、チケットの価値を向上させてもよい。
【００３４】
（２−４．第１値と第２値の決定条件）
図１に示す例では、販売数に対する購入数の割合に基づいて、第１値と第２値とを決定する場合を示したが、販売数に対する購入数の割合に限らず、販売結果情報に含まれる情報であれば、どのような情報に基づいて第１値と第２値とを決定してもよい。例えば、情報処理装置１００は、購入数に基づいて、第１値と第２値とを決定してもよい。具体的な例を挙げると、情報処理装置１００は、チケットの購入数が１０以上のチケットの価格のうち最大の価格を第１値に決定してもよい。例えば、情報処理装置１００は、チケットの購入数が５０以上のチケットの価格のうち最大の価格を第２値に決定してもよい。また、第１値と第２値とを決定する所定の条件は、販売数に対する購入数の割合が１０％以上や、購入数が１０以上といった数値に基づく条件に限らず、販売数に対する購入数の割合が１０％〜２０％や、購入数が１０〜２０といった範囲に基づく条件であってもよい。
【００３５】
（２−５．第３値の決定条件）
図１に示す例では、変更後の第１値と第２値との差が所定の閾値以下である場合、第３値を決定すると判定した場合を示したが、第１値と第２値との差に限らず、どのような条件に基づいて、第３値を決定すると判定してもよい。例えば、情報処理装置１００は、販売態様情報に含まれる残枚数が所定の閾値以下となった場合、第３値を決定すると判定してもよい。図１の例を用いると、情報処理装置１００は、チケットの枚数Ｚ枚が所定の閾値以下である場合、第３値を決定すると判定してもよい。例えば、情報処理装置１００は、対象イベントの全ての販売態様情報に含まれる全ての期間の合計が所定の閾値以上となった場合、第３値を決定すると判定してもよい。図１の例を用いると、情報処理装置１００は、販売態様情報ＳＩＮＦ１の期間ＴＭ１と販売態様情報ＳＩＮＦ２の期間ＴＭ２との合計が所定の閾値以上である場合、第３値を決定すると判定してもよい。この場合、情報処理装置１００は、販売態様情報ＳＩＮＦ３の第１値と第２値とに基づいて第３値を決定してもよい。例えば、情報処理装置１００は、第１値と第２値の変更の処理の回数が所定の閾値を満たした場合、第３値を決定すると判定してもよい。
【００３６】
（２−６．席種）
図１に示す例では、席種がない場合のチケットの適正価格の決定を一例として示したが、情報処理装置１００は、席種がある場合のチケットの適正価格を決定してもよい。席種がある場合、情報処理装置１００は、席種ごとにチケットの適正価格を決定してもよいし、席種全体でチケットの適正価格を決定してもよい。ここで、席種ごとにチケットの適正価格を決定する場合、情報処理装置１００は、席種ごとの販売態様情報や席種ごとの販売結果情報に基づいて、ステップＳ１０１乃至Ｓ１１３と同様の処理を行ってもよい。例えば、情報処理装置１００は、席種ごとに販売態様情報を生成し、席種ごとの販売態様情報に基づく販売結果情報に基づいて、席種ごとにチケットの適正価格を決定してもよい。また、席種全体でチケットの適正価格を決定する場合、情報処理装置１００は、席種全体のチケットの適正価格に関するスコアを決定してもよい。図１に示す例では、チケットの適正価格の決定を一例として示したが、情報処理装置１００は、席種全体のチケットの適正価格に関するスコアを決定してもよい。また、情報処理装置１００は、席種ごとに予め定められた重みに基づいて、席種ごとのチケットの適正価格を算出してもよい。例えば、情報処理装置１００は、席種全体のチケットの適正価格に関するスコアに、所定の席種の重みを乗算することにより、所定の席種の適正価格を算出してもよい。
【００３７】
図３は、席種ごとにチケットの適正価格を算出する場合を示す。図３に示すスタジアムには、スタジアムで最もグレードの高いランクＳのＳ席と、ランクＳの次にグレードの高いランクＡのＡ席と、ランクＡの次にグレードの高いランクＢのＢ席と、ランクＢの次にグレードの高いランクＣのＣ席と、スタジアムで最もグレードの低いランクＤのＤ席が含まれ、各々のランクに対して席種ごとの重みが定められているものとする。図３に示す例では、情報処理装置１００は、例えば、席種全体のチケットの適正価格に関するスコアとＳ席の重みとを乗算することにより、Ｓ席の適正価格を算出する。具体的には、情報処理装置１００は、席種全体のチケットの適正価格に関するスコアである１万円と、Ｓ席の重みである１．５とを乗算することにより、Ｓ席の適正価格を１万５千円と決定する。また、情報処理装置１００は、席ごとのチケットの適正価格を算出してもよい。例えば、情報処理装置１００は、席種全体のチケットの適正価格に関するスコアに所定の席の重みを乗算することにより、所定の席の適正価格を算出してもよい。図４は、席ごとにチケットの適正価格を算出する場合を示す。図４に示す客席には、ステージに近い前列のシートである席Ｓ１〜席Ｓ８と、後列のシートである席Ｓ９〜席Ｓ１６があり、前列及び後列の各々の席に対して席ごとの重みが定められているものとする。なお、図４では、席Ｓ４及び席Ｓ５が前列のシートの中央であり、席Ｓ１２及び席Ｓ１３が後列のシートの中央であるものとする。図４に示す例では、例えば、情報処理装置１００は、席種全体のチケットの適正価格に関するスコアと席Ｓ３の重みとを乗算することにより、席Ｓ３の適正価格を算出する。具体的には、情報処理装置１００は、席種全体のチケットの適正価格に関するスコアである１万円と、席Ｓ３の重みである１とを乗算することにより、席Ｓ３の適正価格を１万円と決定する。このように、情報処理装置１００は、席種全体のチケットの適正価格に関するスコアと、席種ごと又は席ごとの重みとに基づいて、席種ごと又は席ごとのチケットの適正価格を算出してもよい。
【００３８】
（２−７．席種の重み）
情報処理装置１００は、イベントの種別に応じた席種ごとの重みを決定してもよい。具体的な例を挙げると、情報処理装置１００は、イベントの種別がスタジアムでの試合の観戦である場合には、見やすいエリアの席種の重みが高くなるように席種ごとの重みを決定してもよい。例えば、情報処理装置１００は、イベントの種別がクラシックコンサートである場合には、ピアノに近いエリアの席種の重みが高くなるように席種ごとの重みを決定してもよい。例えば、情報処理装置１００は、イベントの種別がライブである場合には、ライブ前方の席種の重みが高くなるように席種ごとの重みを決定してもよい。また、情報処理装置１００は、席ごとに重みを決定してもよい。例えば、情報処理装置１００は、所定の席の周囲に空席が多いほど所定の席の重みが高くなるように席ごとの重みを決定してもよい。具体的には、情報処理装置１００は、所定の席の周囲に空席がなく一人しか座れない席より、カップルやファミリーなど複数が並んで座れる席ほど重みが高くなるように席ごとの重みを決定してもよい。例えば、情報処理装置１００は、前列かつ中央の席ほど重みが高くなるように席ごとの重みを決定してもよい。例えば、情報処理装置１００は、人気が高い席や、売れ易い席ほど重みが高くなるように席ごとの重みを決定してもよい。
【００３９】
（２−８．スコア）
図１に示す例では、チケットに対応する値が価格である場合を示したが、チケットに対応する値はスコアであってもよい。図１に示す例では、情報処理装置１００が、第１値と第２値とに基づく範囲の価格で第３値を決定する場合を示したが、第１スコアと第２スコアとに基づく範囲のスコアで、適正値である第３スコアを決定してもよい。なお、第１スコアと第２スコアは、各々、図１に示す第１値と第２値に対応するものとする。この場合、情報処理装置１００は、図１と同様の処理に基づいて、第３スコアを決定する。例えば、情報処理装置１００は、第１スコアと第２スコアとに基づく範囲のスコアで販売された販売結果情報に基づいて、変更後の第１スコアと第２スコアとを決定する。また、情報処理装置１００は、第３スコアに、席種ごと又は席ごとの重みを乗算することにより、席種ごと又は席ごとの適正価格を決定してもよい。これにより、情報処理装置１００は、チケットの価値が異なる場合であっても、スコアに基づいて第３スコアを決定することにより、価値が異なるチケットの適正価格を決定することができる。例えば、情報処理装置１００は、席種ごとに価値が異なる場合であっても、席種ごとに価値が異なるチケットの席種ごとの適正価格を決定することができる。
【００４０】
〔３．情報処理システムの構成〕
図５に示す情報処理システム１について説明する。図５に示すように、情報処理システム１は、端末装置１０と、チケット販売装置４０と、情報提供装置５０と、情報処理装置１００とが含まれる。端末装置１０と、チケット販売装置４０と、情報提供装置５０と、情報処理装置１００とは所定の通信網（ネットワークＮ）を介して、有線または無線により通信可能に接続される。図５は、実施形態に係る情報処理システムの構成例を示す図である。なお、図５に示した情報処理システム１には、複数台の端末装置１０や、複数台のチケット販売装置４０や、複数台の情報提供装置５０や、複数台の情報処理装置１００が含まれてもよい。
【００４１】
端末装置１０は、ユーザ（利用者）によって利用される情報処理装置である。端末装置１０は、チケットを購入するユーザによって利用される情報処理装置である。端末装置１０は、実施形態における処理を実現可能であれば、どのような装置であってもよい。また、端末装置１０は、スマートフォンや、タブレット型端末や、ノート型ＰＣや、デスクトップＰＣや、携帯電話機や、ＰＤＡ等の装置であってもよい。
【００４２】
チケット販売装置４０は、チケットを販売するサーバ装置である。チケット販売装置４０は、ユーザの要求に応じてチケットを販売するサーバ装置である。
【００４３】
情報提供装置５０は、情報処理装置１００にイベント価格履歴情報を提供するサーバ装置である。
【００４４】
情報処理装置１００は、チケットの適正価格を決定するために用いられる。情報処理装置１００は、例えば、ＰＣ、ＷＳ（Work  Station）等の情報処理装置であり、チケット販売装置４０等からネットワークＮを介して送信されてきた情報に基づいて処理を行う。
【００４５】
〔４．チケット販売装置の構成〕
次に、図６を用いて、実施形態に係るチケット販売装置４０の構成について説明する。図６は、実施形態に係るチケット販売装置４０の構成例を示す図である。図６に示すように、チケット販売装置４０は、通信部４１と、記憶部４２と、制御部４３とを有する。なお、チケット販売装置４０は、チケット販売装置４０の管理者から各種操作を受け付ける入力部（例えば、キーボードやマウス等）や、各種情報を表示するための表示部（例えば、液晶ディスプレイ等）を有してもよい。
【００４６】
（通信部４１）
通信部４１は、例えば、ＮＩＣ（Network  Interface  Card）等によって実現される。そして、通信部４１は、所定のネットワークＮと有線又は無線で接続され、所定のネットワークＮを介して、情報処理装置１００等との間で情報の送受信を行う。
【００４７】
（記憶部４２）
記憶部４２は、例えば、ＲＡＭ（Random  Access  Memory)、フラッシュメモリ等の半導体メモリ素子、または、ハードディスク、光ディスク等の記憶装置によって実現される。記憶部４２は、チケットの販売状況に関する情報を記憶する。
【００４８】
（制御部４３）
制御部４３は、コントローラ（controller）であり、例えば、ＣＰＵ（Central  Processing  Unit）やＭＰＵ（Micro  Processing  Unit）等によって、チケット販売装置４０内部の記憶装置に記憶されている各種プログラムがＲＡＭを作業領域として実行されることにより実現される。また、制御部４３は、コントローラであり、例えば、ＡＳＩＣ（Application  Specific  Integrated  Circuit）やＦＰＧＡ（Field  Programmable  Gate  Array）等の集積回路により実現される。
【００４９】
図６に示すように、制御部４３は、受信部４３１と、送信部４３２と、販売部４３３とを有し、以下に説明する情報処理の作用を実現または実行する。なお、制御部４３の内部構成は、図６に示した構成に限られず、後述する情報処理を行う構成であれば他の構成であってもよい。
【００５０】
（受信部４３１）
受信部４３１は、各種情報を受信する。受信部４３１は、外部の情報処理装置から各種情報を受信する。受信部４３１は、情報処理装置１００等の他の情報処理装置から各種情報を受信する。例えば、受信部４３１は、チケットの販売指示を受信する。例えば、受信部４３１は、チケットの販売態様情報を受信する。
【００５１】
（送信部４３２）
送信部４３２は、各種情報を送信する。送信部４３２は、外部の情報処理装置へ各種情報を提供する。送信部４３２は、外部の情報処理装置へ各種情報を送信する。送信部４３２は、外部の情報処理装置へ各種情報を通知する。送信部４３２は、情報処理装置１００等の他の情報処理装置へ各種情報を送信する。例えば、送信部４３２は、チケットの販売結果情報を送信する。
【００５２】
（販売部４３３）
販売部４３３は、チケットの販売に関する処理を行う。販売部４３３は、外部の情報処理装置から受信した各種情報に応じてチケットの販売に関する処理を行う。例えば、販売部４３３は、端末装置１０から送信されたユーザの要求に応じてチケットの販売に関する処理を行う。例えば、販売部４３３は、情報処理装置１００から送信された販売指示に応じてチケットの販売に関する処理を行う。
【００５３】
〔５．情報提供装置の構成〕
次に、図７を用いて、実施形態に係る情報提供装置５０の構成について説明する。図７は、実施形態に係る情報提供装置５０の構成例を示す図である。図７に示すように、情報提供装置５０は、通信部５１と、記憶部５２と、制御部５３とを有する。なお、情報提供装置５０は、情報提供装置５０の管理者から各種操作を受け付ける入力部（例えば、キーボードやマウス等）や、各種情報を表示するための表示部（例えば、液晶ディスプレイ等）を有してもよい。
【００５４】
（通信部５１）
通信部５１は、例えば、ＮＩＣ等によって実現される。そして、通信部５１は、ネットワークＮと有線又は無線で接続され、ネットワークＮを介して、情報処理装置１００等との間で情報の送受信を行う。
【００５５】
（記憶部５２）
記憶部５２は、例えば、ＲＡＭ、フラッシュメモリ等の半導体メモリ素子、または、ハードディスク、光ディスク等の記憶装置によって実現される。記憶部５２は、イベント価格履歴情報を記憶する。
【００５６】
（制御部５３）
制御部５３は、コントローラであり、例えば、ＣＰＵやＭＰＵ等によって、情報提供装置５０内部の記憶装置に記憶されている各種プログラムがＲＡＭを作業領域として実行されることにより実現される。また、制御部５３は、コントローラであり、例えば、ＡＳＩＣやＦＰＧＡ等の集積回路により実現される。
【００５７】
図７に示すように、制御部５３は、送信部５３１を有し、以下に説明する情報処理の作用を実現または実行する。なお、制御部５３の内部構成は、図７に示した構成に限られず、後述する情報処理を行う構成であれば他の構成であってもよい。
【００５８】
（送信部５３１）
送信部５３１は、外部の情報処理装置へ各種情報を提供する。送信部５３１は、外部の情報処理装置へ各種情報を送信する。送信部５３１は、外部の情報処理装置へ各種情報を通知する。送信部５３１は、情報処理装置１００等の他の情報処理装置へ各種情報を送信する。例えば、送信部５３１は、イベント価格履歴情報を送信する。
【００５９】
〔６．情報処理装置の構成〕
次に、図８を用いて、実施形態に係る情報処理装置１００の構成について説明する。図８は、実施形態に係る情報処理装置１００の構成例を示す図である。図８に示すように、情報処理装置１００は、通信部１１０と、記憶部１２０と、制御部１３０とを有する。なお、情報処理装置１００は、情報処理装置１００の管理者から各種操作を受け付ける入力部（例えば、キーボードやマウス等）や、各種情報を表示するための表示部（例えば、液晶ディスプレイ等）を有してもよい。
【００６０】
（通信部１１０）
通信部１１０は、例えば、ＮＩＣ等によって実現される。そして、通信部１１０は、ネットワークＮと有線又は無線で接続され、ネットワークＮを介して、チケット販売装置４０等との間で情報の送受信を行う。
【００６１】
（記憶部１２０）
記憶部１２０は、例えば、ＲＡＭ、フラッシュメモリ等の半導体メモリ素子、または、ハードディスク、光ディスク等の記憶装置によって実現される。図８に示すように、記憶部１２０は、イベント価格履歴情報記憶部１２１と、販売態様情報記憶部１２２と、販売結果情報記憶部１２３と、適正価格情報記憶部１２４とを有する。
【００６２】
イベント価格履歴情報記憶部１２１は、イベント価格履歴情報を記憶する。ここで、図９に、実施形態に係るイベント価格履歴情報記憶部１２１の一例を示す。図９に示すように、イベント価格履歴情報記憶部１２１は、「過去イベントＩＤ」、「過去イベント」、「会場」、「価格履歴」といった項目を有する。
【００６３】
「過去イベントＩＤ」は、過去のイベントを識別するための識別情報を示す。「過去イベント」は、過去に行われたイベントの名称を示す。例えば、イベントＰＩＶ１により識別される過去に行われたイベントの名称がイベントＰであることを示す。「会場」は、過去のイベントが行われた会場の名称を示す。例えば、イベントＰが施設Ｐで行われたことを示す。「価格履歴」は、過去に行われたイベントのチケットの価格の履歴に関する情報を示す。「価格履歴」は、過去に行われたイベントのチケットの価格の履歴に関する情報であれば、どのような情報を示してもよい。例えば、「価格履歴」は、チケットの初期価格の履歴に関する情報を示してもよい。例えば、「価格履歴」は、日時ごとのチケットの価格の履歴に関する情報を示してもよい。例えば、「価格履歴」は、席種ごとのチケットの価格の履歴に関する情報を示してもよい。図９に示す例では、「価格履歴」に「価格履歴＃１」や「価格履歴＃２」といった概念的な情報が格納される例を示したが、実際には、円やドルなどにより示されるデータが格納される。
【００６４】
販売態様情報記憶部１２２は、販売態様情報を記憶する。ここで、図１０に、実施形態に係る販売態様情報記憶部１２２の一例を示す。図１０に示すように、販売態様情報記憶部１２２は、「イベントＩＤ」、「販売態様情報１」、「販売態様情報２」といった項目を有する。なお、販売態様情報記憶部１２２が有する販売態様情報の項目の数に限りはないものとする。例えば、販売態様情報記憶部１２２は、「販売態様情報１」、「販売態様情報２」、・・・、「販売態様情報ＺＸ」といった数の項目を有してもよい。なお、「販売態様情報２」、「販売態様情報３」・・・、「販売態様情報ＺＸ」は、「販売態様情報１」と同様の情報を示すため説明を省略する。
【００６５】
「イベントＩＤ」は、対象イベントを識別するための識別情報を示す。「販売態様情報１」は、販売態様情報を示す。例えば、「販売態様情報１」は、第１の販売態様情報を示してもよい。図１０に示すように、「販売態様情報１」は、「残枚数」、「期間」、「第１値」、「第２値」、「販売態様」といった項目を有する。「残枚数」は、チケットの残枚数を示す。例えば、「残枚数」は、イベントＩＶ１により識別される対象イベントのチケットの残枚数がＸ枚であることを示す。「期間」は、対応する所定の販売態様でチケットを販売する期間を示す。この場合、「期間」は、「販売態様」に示す態様でチケットを販売する期間を示す。「第１値」は、チケットの第１値を示す。「第２値」は、チケットの第２値を示す。「販売態様」は、販売態様を示す。図１０に示すように、「販売態様」は、「価格（円）」、「数量」といった項目を有する。「価格（円）」は、チケットの複数の価格の各々を示す。「数量」は、複数の価格の各々に対応するチケットの販売数を示す。
【００６６】
販売結果情報記憶部１２３は、販売結果情報を記憶する。ここで、図１１に、実施形態に係る販売結果情報記憶部１２３の一例を示す。図１１に示すように、販売結果情報記憶部１２３は、「イベントＩＤ」、「販売結果情報１」、「販売結果情報２」といった項目を有する。なお、販売結果情報記憶部１２３が有する販売結果情報の項目の数に限りはないものとする。例えば、販売結果情報記憶部１２３は、「販売結果情報１」、「販売結果情報２」、・・・、「販売結果情報ＺＹ」といった数の項目を有してもよい。なお、「販売結果情報２」、「販売結果情報３」・・・、「販売結果情報ＺＹ」は、「販売結果情報１」と同様の情報を示すため説明を省略する。
【００６７】
「イベントＩＤ」は、対象イベントを識別するための識別情報を示す。「販売結果情報１」は、販売結果情報を示す。例えば、「販売結果情報１」は、第１の販売結果情報を示してもよい。図１１に示すように、「販売結果情報１」は、「販売結果」といった項目を有する。「販売結果」は、販売結果を示す。図１１に示すように、「販売結果」は、「価格（円）」、「購入数」といった項目を有する。「価格（円）」は、チケットの複数の価格の各々を示す。「購入数」は、複数の価格の各々に対応するチケットの購入数を示す。
【００６８】
適正価格情報記憶部１２４は、チケットの適正価格に関する情報を記憶する。ここで、図１２に、実施形態に係る適正価格情報記憶部１２４の一例を示す。図１２に示すように、適正価格情報記憶部１２４は、「イベントＩＤ」、「第３値(適正値)」といった項目を有する。
【００６９】
「イベントＩＤ」は、対象イベントを識別するための識別情報を示す。「第３値(適正値)」は、チケットの第３値を示す。「第３値(適正値)」は、チケットの適正価格を示す。例えば、「第３値(適正値)」は、イベントＩＶ１により識別される対象イベントのチケットの適正価格が１万５千円であることを示す。
【００７０】
（制御部１３０）
制御部１３０は、コントローラであり、例えば、ＣＰＵやＭＰＵ等によって、情報処理装置１００内部の記憶装置に記憶されている各種プログラムがＲＡＭを作業領域として実行されることにより実現される。また、制御部１３０は、コントローラであり、例えば、ＡＳＩＣやＦＰＧＡ等の集積回路により実現される。
【００７１】
図８に示すように、制御部１３０は、取得部１３１と、決定部１３２と、判定部１３３と、変更部１３４と、提供部１３５とを有し、以下に説明する情報処理の作用を実現または実行する。なお、制御部１３０の内部構成は、図８に示した構成に限られず、後述する情報処理を行う構成であれば他の構成であってもよい。
【００７２】
（取得部１３１）
取得部１３１は、各種情報を取得する。取得部１３１は、外部の情報処理装置から各種情報を取得する。取得部１３１は、チケット販売装置４０等の他の情報処理装置から各種情報を取得する。
【００７３】
取得部１３１は、記憶部１２０から各種情報を取得する。取得部１３１は、イベント価格履歴情報記憶部１２１や販売態様情報記憶部１２２や販売結果情報記憶部１２３や適正価格情報記憶部１２４から各種情報を取得する。
【００７４】
取得部１３１は、取得した各種情報を記憶部１２０に格納する。取得部１３１は、イベント価格履歴情報記憶部１２１や販売態様情報記憶部１２２や販売結果情報記憶部１２３や適正価格情報記憶部１２４に各種情報を格納する。
【００７５】
取得部１３１は、他の機能構成により決定、判定、変更された各種情報を取得する。
【００７６】
取得部１３１は、イベント価格履歴情報を取得する。取得部１３１は、対象イベントのイベント価格履歴情報を取得する。例えば、取得部１３１は、情報提供装置５０から提供されたイベント価格履歴情報を取得する。
【００７７】
取得部１３１は、販売態様情報を取得する。取得部１３１は、対象イベントの販売態様情報を取得する。例えば、取得部１３１は、販売態様情報記憶部１２２に格納された販売態様情報を取得する。
【００７８】
取得部１３１は、販売結果情報を取得する。取得部１３１は、対象イベントのチケットの販売結果情報を取得する。例えば、取得部１３１は、チケット販売装置４０から提供された販売結果情報を取得する。
【００７９】
取得部１３１は、チケットの価格に対応する第１値と、第１値よりも小さい第２値とに基づく範囲の価格で販売されたチケットの販売結果情報を取得する。取得部１３１は、チケットの価格の上限値を示す第１値と、チケットの価格の下限値を示す第２値に基づく範囲の価格で販売されたチケットの販売結果情報を取得する。取得部１３１は、第１値と第２値とに基づく範囲内の複数の価格の各々で販売されたチケットの販売結果情報を取得する。
【００８０】
取得部１３１は、変更部１３４により値が変更された変更後の第１値又は第２値に基づく範囲の価格で販売されたチケットの販売結果情報を取得する。取得部１３１は、第１の期間よりも後の第２の期間において、変更部１３４により値が変更された変更後の第１値又は第２値に基づく範囲の価格で販売されたチケットの販売結果情報を取得する。取得部１３１は、変更部１３４により値が変更された変更後の第１値又は第２値に基づく範囲の価格で販売された第２の数量のチケットの販売結果情報を取得する。
【００８１】
取得部１３１は、変更部１３４により値が減少された変更後の第１値に基づく範囲の価格で販売されたチケットの販売結果情報を取得する。取得部１３１は、変更部１３４により値が増加された変更後の第２値に基づく範囲の価格で販売されたチケットの販売結果情報を取得する。
【００８２】
取得部１３１は、所定のイベントのチケットの価格に対応する第１値と第２値とに基づく範囲の価格で販売されたチケットの販売結果情報を取得する。取得部１３１は、チケットの価格を示す第１値と第２値との間の範囲の価格で販売されたチケットの販売結果情報を取得する。取得部１３１は、チケットの価格に関するスコアである第１値と第２値とに基づく範囲の価格で販売されたチケットの販売結果情報を取得する。
【００８３】
（決定部１３２）
決定部１３２は、各種情報を決定する。決定部１３２は、各種情報を算出する。決定部１３２は、記憶部１２０から各種情報を決定する。決定部１３２は、イベント価格履歴情報記憶部１２１や販売態様情報記憶部１２２や販売結果情報記憶部１２３や適正価格情報記憶部１２４から各種情報を決定する。
【００８４】
決定部１３２は、決定した各種情報を記憶部１２０に格納する。決定部１３２は、算出した各種情報を記憶部１２０に格納する。決定部１３２は、イベント価格履歴情報記憶部１２１や販売態様情報記憶部１２２や販売結果情報記憶部１２３や適正価格情報記憶部１２４に各種情報を格納する。
【００８５】
決定部１３２は、他の機能構成により取得、判定、変更された各種情報を決定する。また、決定部１３２は、他の機能構成により取得、判定、変更された各種情報を算出する。
【００８６】
決定部１３２は、イベント価格履歴情報に基づいて、第１値と第２値とを決定する。決定部１３２は、イベント価格履歴情報に基づいて、第１の期間の第１値と第２値とを決定する。決定部１３２は、販売結果情報に基づいて、第１値と第２値とを決定する。決定部１３２は、第１の期間において販売された販売結果情報に基づいて、第２の期間の第１値と第２値とを決定する。
【００８７】
決定部１３２は、販売態様情報を決定する。決定部１３２は、イベント価格履歴情報に基づいて、販売態様情報を決定する。決定部１３２は、イベント価格履歴情報に基づいて、第１の期間の販売態様情報を決定する。決定部１３２は、販売結果情報に基づいて、販売態様情報を決定する。決定部１３２は、第１の期間において販売された販売結果情報に基づいて、第２の期間の販売態様情報を決定する。
【００８８】
決定部１３２は、第３値を決定する。決定部１３２は、チケットの価格に対応する適正値を示す第３値を決定する。決定部１３２は、販売結果情報に基づいて、第１値と第２値との間の値を、第３値に決定する。決定部１３２は、第１値と第２値との差が閾値以下である場合、第３値を決定する。決定部１３２は、第１値と第２値との平均値を第３値に決定する。決定部１３２は、第１値を第３値に決定する。決定部１３２は、第１値で販売されたチケットの販売状況が所定の条件を満たす場合、第１値を第３値に決定する。決定部１３２は、第１値で販売されたチケットのうち、ユーザに購入されたチケットが所定の割合以上である場合、第１値を第３値に決定する。
【００８９】
（判定部１３３）
判定部１３３は、各種情報を判定する。判定部１３３は、記憶部１２０から各種情報を判定する。判定部１３３は、イベント価格履歴情報記憶部１２１や販売態様情報記憶部１２２や販売結果情報記憶部１２３や適正価格情報記憶部１２４から各種情報を判定する。
【００９０】
判定部１３３は、他の機能構成により取得、決定、変更された各種情報を判定する。
【００９１】
判定部１３３は、販売結果情報を判定する。判定部１３３は、販売結果情報に含まれる複数の価格の各々に対応する情報が所定の条件を満たすか否かを判定する。例えば、判定部１３３は、販売結果情報に含まれる複数の価格の各々に対応する購入数が所定の条件を満たすか否かを判定する。判定部１３３は、所定の条件を満たす複数の価格を判定する。判定部１３３は、所定の条件を満たす複数の価格のうち、価格の上限値を第１値と判定し、価格の下限値を第２値と判定する。
【００９２】
判定部１３３は、第３値を決定するか否かを判定する。判定部１３３は、第３値を決定するための範囲の絞り込みを継続するか否かを判定する。判定部１３３は、変更後の第１値と第２値とに基づいて、第３値を決定するための範囲の絞り込みを継続するか否かを判定する。判定部１３３は、変更後の第１値と第２値とが第３値を決定するための所定の条件を満たすか否かを判定する。例えば、判定部１３３は、変更後の第１値と第２値との差が所定の条件を満たすか否かを判定する。判定部１３３は、変更後の第１値と第２値とが第３値を決定するための所定の条件を満たすと判定した場合、第３値を決定するための範囲の絞り込みを継続しないと判定する。判定部１３３は、第３値を決定するための範囲の絞り込みを継続しないと判定した場合、第３値を決定すると判定する。
【００９３】
（変更部１３４）
変更部１３４は、各種情報を変更する。変更部１３４は、記憶部１２０から各種情報を変更する。変更部１３４は、イベント価格履歴情報記憶部１２１や販売態様情報記憶部１２２や販売結果情報記憶部１２３や適正価格情報記憶部１２４から各種情報を変更する。
【００９４】
変更部１３４は、変更した各種情報を記憶部１２０に格納する。変更部１３４は、イベント価格履歴情報記憶部１２１や販売態様情報記憶部１２２や販売結果情報記憶部１２３や適正価格情報記憶部１２４に各種情報を格納する。
【００９５】
変更部１３４は、他の機能構成により取得、決定、判定された各種情報を変更する。
【００９６】
変更部１３４は、第１値の値又は第２値の値を変更する。変更部１３４は、販売結果情報に基づいて、第１値の値又は第２値の値を変更する。変更部１３４は、第１の期間において第１値と第２値とに基づく範囲の価格で販売されたチケットの販売結果情報に基づいて、第１値の値又は第２値の値を変更する。変更部１３４は、第１値と第２値とに基づく範囲の価格で販売された第１の数量のチケットの販売結果情報に基づいて、第１値の値又は第２値の値を変更する。
【００９７】
変更部１３４は、販売結果情報に基づいて、第１値の値を減少させる。変更部１３４は、販売結果情報に基づいて、第２値の値を増加させる。変更部１３４は、販売結果情報に基づいて、第１値の値を減少又は第２値の値を増加することにより、範囲を絞り込む。
【００９８】
（提供部１３５）
提供部１３５は、外部の情報処理装置へ各種情報を提供する。提供部１３５は、外部の情報処理装置へ各種情報を送信する。提供部１３５は、外部の情報処理装置へ各種情報を通知する。提供部１３５は、外部の情報処理装置へ各種情報を配信する。提供部１３５は、チケット販売装置４０等の他の情報処理装置へ各種情報を提供する。
【００９９】
提供部１３５は、他の機能構成により取得、決定、判定、変更された各種情報を提供する。
【０１００】
提供部１３５は、販売態様情報を提供する。提供部１３５は、対象イベントのチケットの販売態様情報を提供する。提供部１３５は、チケットの複数の価格の各々に対応する数量と価格との組み合わせに関する情報を提供する。提供部１３５は、販売指示を送信する。提供部１３５は、第１値と第２値とに基づく範囲の価格での販売指示を送信する。
【０１０１】
〔７．情報処理のフロー〕
次に、図１３を用いて、実施形態に係る情報処理システム１による情報処理の手順について説明する。図１３は、実施形態に係る情報処理システム１による情報処理の手順を示すフローチャートである。
【０１０２】
図１３に示すように、情報処理装置１００は、第１値と第２値とに基づく範囲の価格で販売されたチケットの販売結果情報を取得する（ステップＳ２０１）。例えば、情報処理装置１００は、第１の期間において第１値と第２値とに基づく範囲の価格で販売されたチケットの販売結果情報を取得する。情報処理装置１００は、取得した販売結果情報に基づいて、第１値の値又は第２値の値を変更する（ステップＳ２０２）。情報処理装置１００は、変更後の第１値と第２値との差が所定の条件を満たすか否かを判定する（ステップＳ２０３）。情報処理装置１００は、変更後の第１値と第２値との差が所定の条件を満たさない場合（ステップＳ２０３；ＮＯ）、第１値の値又は第２値の値を変更する処理を継続すると決定する（ステップＳ２０４）。この場合、情報処理装置１００は、ステップＳ２０１乃至Ｓ２０３の処理を繰り返す。また、情報処理装置１００は、変更後の第１値と第２値との差が所定の条件を満たす場合（ステップＳ２０３；ＹＥＳ）、変更後の第１値と第２値とに基づいて、第３値を決定する（ステップＳ２０５）。例えば、情報処理装置１００は、変更後の第１値と第２値との平均値を第３値に決定する。
【０１０３】
〔８．効果〕
上述してきたように、実施形態に係る情報処理装置１００は、取得部１３１と、決定部１３２とを有する。取得部１３１は、チケットの価格に対応する第１値と、第１値よりも小さい第２値とに基づく範囲の価格で販売されたチケットの販売結果を示す販売結果情報を取得する。また、決定部１３２は、取得部１３１により取得された販売結果情報に基づいて、第１値と第２値との間の値を、チケットの価格に対応する適正値を示す第３値に決定する。
【０１０４】
これにより、実施形態に係る情報処理装置１００は、チケットの販売結果に応じてチケットを適切な価格に決定することができる。また、実施形態に係る情報処理装置１００は、例えば、チケットを提供する提供者にとって収益が向上するようにチケットの価格を決定することができる。また、実施形態に係る情報処理装置１００は、チケットの売上の向上を促進させることができる。
【０１０５】
また、取得部１３１は、チケットの価格の上限値を示す第１値と、チケットの価格の下限値を示す第２値に基づく範囲の価格で販売されたチケットの販売結果情報を取得する。
【０１０６】
これにより、実施形態に係る情報処理装置１００は、第１値と第２値とに基づく範囲で適切にチケットの価格を決定することができる。
【０１０７】
また、取得部１３１は、第１値と第２値とに基づく範囲内の複数の価格の各々で販売されたチケットの販売結果を示す販売結果情報を取得する。
【０１０８】
これにより、実施形態に係る情報処理装置１００は、複数の価格の各々の販売結果に応じてチケットを適切な価格に決定することができる。
【０１０９】
また、実施形態に係る情報処理装置１００は、取得部１３１により取得された販売結果情報に基づいて、第１値の値または第２値の値を変更する変更部１３４を有する。また、取得部１３１は、変更部１３４により値が変更された変更後の第１値または第２値に基づく範囲の価格で販売されたチケットの販売結果情報を取得する。
【０１１０】
これにより、実施形態に係る情報処理装置１００は、変更後の第１値と第２値とに基づく範囲で適切にチケットの価格を決定することができる。
【０１１１】
また、変更部１３４は、第１の期間において第１値と第２値とに基づく範囲の価格で販売されたチケットの販売結果情報に基づいて、第１値の値または第２値の値を変更する。また、取得部１３１は、第１の期間よりも後の第２の期間において、変更部１３４により値が変更された変更後の第１値または第２値に基づく範囲の価格で販売されたチケットの販売結果情報を取得する。
【０１１２】
これにより、実施形態に係る情報処理装置１００は、第１の期間よりも後の第２の期間において販売されたチケットの販売結果に応じてチケットを適切な価格に決定することができる。
【０１１３】
また、変更部１３４は、第１値と第２値とに基づく範囲の価格で販売された第１の数量のチケットの販売結果情報に基づいて、第１値の値または第２値の値を変更する。また、取得部１３１は、変更部１３４により値が変更された変更後の第１値または第２値に基づく範囲の価格で販売された第２の数量のチケットの販売結果情報を取得する。
【０１１４】
これにより、実施形態に係る情報処理装置１００は、第１値と第２値とに基づく範囲の価格で販売されたチケットの数量に基づいて、チケットを適切な価格に決定することができる。
【０１１５】
また、変更部１３４は、取得部１３１により取得された販売結果情報に基づいて、第１値の値を減少させる。また、取得部１３１は、変更部１３４により値が減少された変更後の第１値に基づく範囲の価格で販売されたチケットの販売結果情報を取得する。
【０１１６】
これにより、実施形態に係る情報処理装置１００は、第１値の値を減少させることにより、変更後の第１値に基づく範囲で適切にチケットの価格を決定することができる。
【０１１７】
また、変更部１３４は、取得部１３１により取得された販売結果情報に基づいて、第２値の値を増加させる。また、取得部１３１は、変更部１３４により値が増加された変更後の第２値に基づく範囲の価格で販売されたチケットの販売結果情報を取得する。
【０１１８】
これにより、実施形態に係る情報処理装置１００は、第２値の値を増加させることにより、変更後の第２値に基づく範囲で適切にチケットの価格を決定することができる。
【０１１９】
また、変更部１３４は、取得部１３１により取得された販売結果情報に基づいて、第１値の値を減少、または第２値の値を増加することにより、範囲を絞り込む。
【０１２０】
これにより、実施形態に係る情報処理装置１００は、変更後の第１値と第２値とに基づく範囲を絞り込むことにより、チケットを適切な価格に決定することができる。
【０１２１】
また、決定部１３２は、第１値と第２値との差が閾値以下である場合、第３値を決定する。
【０１２２】
これにより、実施形態に係る情報処理装置１００は、チケットの価格の適正値を示す第３値を適切に決定することができる。
【０１２３】
また、決定部１３２は、第１値と第２値との平均値を、第３値に決定する。
【０１２４】
これにより、実施形態に係る情報処理装置１００は、チケットの価格の適正値を示す第３値を適切に決定することができる。
【０１２５】
また、決定部１３２は、第１値を第３値に決定する。
【０１２６】
これにより、実施形態に係る情報処理装置１００は、チケットの価格の適正値を示す第３値を適切に決定することができる。
【０１２７】
また、決定部１３２は、第１値で販売されたチケットの販売状況が所定の条件を満たす場合、第１値を第３値に決定する。
【０１２８】
これにより、実施形態に係る情報処理装置１００は、第１値の販売状況に応じて、チケットの価格の適正値を示す第３値を適切に決定することができる。
【０１２９】
また、決定部１３２は、第１値で販売されたチケットのうち、ユーザに購入されたチケットが所定の割合以上である場合、第１値を第３値に決定する。
【０１３０】
これにより、実施形態に係る情報処理装置１００は、第１値の販売状況に応じて、チケットの価格の適正値を示す第３値を適切に決定することができる。
【０１３１】
また、取得部１３１は、所定のイベントのチケットの価格に対応する第１値と、第２値とに基づく範囲の価格で販売されたチケットの販売結果情報を取得する。
【０１３２】
これにより、実施形態に係る情報処理装置１００は、所定のイベントのチケットを適切な価格に決定することができる。
【０１３３】
また、取得部１３１は、チケットの価格を示す第１値と第２値との間の範囲の価格で販売されたチケットの販売結果情報を取得する。
【０１３４】
これにより、実施形態に係る情報処理装置１００は、チケットの価格を示す第１値と第２値とに基づく範囲で適切にチケットの価格を決定することができる。
【０１３５】
また、取得部１３１は、チケットの価格に関するスコアである第１値と、第２値とに基づく範囲の価格で販売されたチケットの販売結果情報を取得する。
【０１３６】
これにより、実施形態に係る情報処理装置１００は、チケットの価格に関するスコアである第１値と第２値とに基づく範囲で適切にチケットの価格を決定することができる。
【０１３７】
〔９．ハードウェア構成〕
また、上述してきた実施形態に係るチケット販売装置４０、情報提供装置５０および情報処理装置１００は、例えば、図１４に示すような構成のコンピュータ１０００によって実現される。図１４は、チケット販売装置４０、情報提供装置５０および情報処理装置１００の機能を実現するコンピュータの一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１３８】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１３９】
ＨＤＤ１４００は、ＣＰＵ１１００によって実行されるプログラム、及び、かかるプログラムによって使用されるデータ等を格納する。通信インターフェイス１５００は、所定の通信網を介して他の機器からデータを受信してＣＰＵ１１００へ送り、ＣＰＵ１１００が生成したデータを所定の通信網を介して他の機器へ送信する。
【０１４０】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０１４１】
メディアインターフェイス１７００は、記録媒体１８００に格納されたプログラムまたはデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１４２】
例えば、コンピュータ１０００が実施形態に係るチケット販売装置４０、情報提供装置５０および情報処理装置１００として機能する場合、コンピュータ１０００のＣＰＵ１１００は、ＲＡＭ１２００上にロードされたプログラムを実行することにより、制御部４３、５３および１３０の機能を実現する。コンピュータ１０００のＣＰＵ１１００は、これらのプログラムを記録媒体１８００から読み取って実行するが、他の例として、他の装置から所定の通信網を介してこれらのプログラムを取得してもよい。
【０１４３】
〔１０．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１４４】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１４５】
また、上述してきた実施形態は、処理内容を矛盾させない範囲で適宜組み合わせることが可能である。
【０１４６】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１４７】
また、上述してきた「部（section、module、unit）」は、「手段」や「回路」などに読み替えることができる。例えば、取得部は、取得手段や取得回路に読み替えることができる。
【符号の説明】
【０１４８】
１  情報処理システム
１０  端末装置
４０  チケット販売装置
５０  情報提供装置
１００  情報処理装置
１１０  通信部
１２０  記憶部
１２１  イベント価格履歴情報記憶部
１２２  販売態様情報記憶部
１２３  販売結果情報記憶部
１２４  適正価格情報記憶部
１３０  制御部
１３１  取得部
１３２  決定部
１３３  判定部
１３４  変更部
１３５  提供部
Ｎ      ネットワーク
【図１】
2020204969.tif 000003
【図２】
2020204969.tif 000004
【図３】
2020204969.tif 000005
【図４】
2020204969.tif 000006
【図５】
2020204969.tif 000007
【図６】
2020204969.tif 000008
【図７】
2020204969.tif 000009
【図８】
2020204969.tif 000010
【図９】
2020204969.tif 000011
【図１０】
2020204969.tif 000012
【図１１】
2020204969.tif 000013
【図１２】
2020204969.tif 000014
【図１３】
2020204969.tif 000015
【図１４】
2020204969.tif 000016